(57)【要約】【課題】情報を一括管理する本体と、当該情報に基づいて画像を表示する平面表示媒体との接続構造を確立し、平面表示媒体が多数枚重なっても、接続部による厚みの増大を軽減する。【解決手段】平面表示媒体１８を着脱可能に保持し、かつ本体１２からの情報の伝達を行う接続部３４を本体１２の軸線方向にオフセットさせた状態で配設したため、カバー１４、１６を閉止状態としたときに、接続部３４のチャック部３４Ｂ同士が干渉することがなく、情報表示装置１０全体としての肉厚寸法を軽減することができる。これにより、情報携帯端末として占有面積と共に厚さにおいてもコンパクト化を実現することができる。【選択図】      図１
2004258587.tif 000002
【特許請求の範囲】
【請求項１】
画像を表示する複数の表示媒体を層状に束ねた状態で前記表示媒体の一辺で接続する接続部を有する情報表示装置であって、
前記接続部に接続された複数の表示媒体の内、一の表示媒体が、隣接する他の一の表示媒体と異なる位置で接続されることを特徴とする情報表示装置。
【請求項２】
前記接続部に接続された複数の表示媒体の内、一の表示媒体の接続部が、隣接する他の一の表示媒体の接続部と互いに干渉しない位置であることを特徴とする請求項１に記載の情報表示装置。
【請求項３】
前記接続部の少なくとも一部は、接続される表示媒体よりも厚肉であることを特徴とする請求項１又は請求項２記載の情報表示装置。
【請求項４】
前記接続部を通じて、前記表示媒体との間で情報を伝達することを特徴とする請求項１乃至請求項３の何れか１項記載の情報表示装置。
【請求項５】
前記接続部に接続された前記表示媒体が、当該接続部との接続側の一辺を中心に回動可能であることを特徴とする請求項１乃至請求項４の何れか１項記載の情報表示装置。
【請求項６】
接続される前記表示媒体は、シート状であることを特徴とする請求項１乃至請求項５の何れか１項記載の情報表示装置。
【請求項７】
前記表示媒体は、電力を必要としないで、表示状態を維持することができるメモリー性を有する表示媒体であることを特徴とする請求項１乃至請求項６の何れか１項記載の情報表示装置。
【請求項８】
前記表示媒が着脱可能であることを特徴とする請求項１乃至請求項７の何れか１項記載の情報表示装置。
【発明の詳細な説明】
【０００１】
【発明の属する技術分野】
本発明は、所定の情報に基づく画像を表示する表示部を備えた複数のシート状の平面表示媒体を層状に束ねて格納可能な情報表示装置に関するものである。
【０００２】
【従来の技術】
従来、情報表示装置としては、ディスプレイ装置が一般的であり、このディスプレイ装置に必要な情報を表示することで、閲覧者は情報を認識することができる。ここで、情報量が多い場合は、表示画面を切り換えて、順次情報を表示するか、或いは表示可能領域を分割して表示する必要があった。
【０００３】
すなわち、一般的なディスプレイ装置では、平面的に限られたスペースの範囲で情報を表示するに留まっていた。
【０００４】
そこで、特許文献１及び特許文献２では、複数枚のシート状の表示媒体を束ねて収容し、必要に応じて選択的に表示媒体を見開いて情報を見ることができるノート型の情報表示装置を提案している。
【０００５】
このノート型の情報表示装置では、平面的に限られたスペースで、画面を切り換えることなく、多くの情報を確認することができる。なお、特許文献２では、表示面が入力用のタッチパネルも兼ねているため、コンパクトな情報携帯端末として有利となっている。
【０００６】
【特許文献１】
特開２０００−２９２７７７公報
【特許文献２】
特開平６−２７４４５８号公報
【０００７】
【発明が解決しようとする課題】
しかしながら、上記特許文献１及び特許文献２では、束ねられるシート状の表示媒体を見開き可能とするための接続構造については、詳細な説明はなく、例えば特許文献１では、第２の実施例として６枚の表示体を接続部を介して軸芯（保持リング）に回動可能に綴じられている、としか記載がない。
【０００８】
理論的には、この保持リングに複数枚の表示媒体を束ねることは可能であるが、表示媒体の枚数が増えれば増えるほど、この表示媒体よりも厚肉の接続部が積み重ねられ、綴じ代部分が極端に厚くなって、携帯性という本来の機能を損なうことは必至である。
【０００９】
また、特許文献２においては、本体と表示媒体（液晶ディスプレイシート）との接続構造については、何ら記載がないが、情報の送受信、或いは電力供給のため、並びにページめくりを実現するためには、本体と表示媒体との間に接続部が必要である。この接続部は表示媒体の肉厚よりも厚くなるのは当然であり、情報量の拡大のために表示媒体を増やせば増やすほど、表示媒体以上に厚みが増大し、特許文献１と同様に、携帯性という本来の機能を損なう結果となる。
【００１０】
本発明は上記事実を考慮し、情報を一括管理する本体と、当該情報に基づいて画像を表示する平面表示媒体との接続構造を確立し、平面表示媒体が多数枚重なっても、接続部による厚みの増大を軽減することができる情報表示装置を得ることが目的である。
【００１１】
【課題を解決するための手段】
本発明は、画像を表示する複数の表示媒体を層状に束ねた状態で前記表示媒体の一辺で接続する接続部を有する情報表示装置であって、前記接続部に接続された複数の表示媒体の内、一の表示媒体が、隣接する他の一の表示媒体と異なる位置で接続されることを特徴としている。
【００１２】
本発明よれば、表示媒体を接続部に接続することで、それぞれの表示媒体が異なる位置の接続部で接続される。
【００１３】
表示媒体は、枚数が増えれば増えるほど、情報量が多くなり、実用性を上げることができるが、その分、接続部が必要となり、接続部の増加によって、厚さが非常に大きくなってしまう。
【００１４】
そこで、本発明では、表示媒体を異なる位置で接続部に接続することで、互いに重なり合わない構成とした。これにより、表示媒体の増加による接続部の重なり合いによる肉厚寸法の増加を軽減することができ、コンパクトさを維持することができる。
【００１５】
本発明において、前記接続部に接続された複数の表示媒体の内、一の表示媒体の接続部が、隣接する他の一の表示媒体の接続部と互いに干渉しない位置であることを特徴とする。
【００１６】
すなわち、接続部同士が干渉しなければ、肉厚の増加を防止することができる。
【００１７】
また、本発明において、前記接続部の少なくとも一部は、接続される表示媒体よりも厚肉であることを特徴とする。
【００１８】
一般的に接続部は表示媒体を保持する構成上、その一部が表示媒体の肉厚寸法よりも厚肉となる。このため、表示媒体自体が薄肉であっても、接続部の増加によって、特に束ねた状態（格納或いは保管状態）において厚さが非常に大きくなってしまう。
【００１９】
そこで、接続部を例えば、互いに干渉しない構成とすれば、表示媒体の増加による接続部の重なり合いによる肉厚寸法の増加を軽減することができる。
【００２０】
さらに、本発明において、前記接続部を通じて、前記表示媒体との間で情報を伝達することを特徴とする請求項１乃至請求項３の何れか１項記載の情報表示装置。
【００２１】
接続部は表示媒体を保持する構成の他、情報を伝達する機能を持っている。これにより、表示媒体の表示内容を接続部に接続した状態で変更することができる。
【００２２】
また、本発明において、前記接続部に接続された前記表示媒体が、当該接続部との接続側の一辺を中心に回動可能であることを特徴とする。
【００２３】
表示媒体は、接続部に接続した一辺を中心に回転可能、すなわち、見開きが可能となっているため、複数枚の表示媒体を束ねて収容し、かつ必要に応じて選択的に見開くことで、平面表示媒体の表示部の情報を目視することができる。
【００２４】
さらに、本発明において、接続される前記表示媒体は、シート状であることを特徴とする。
【００２５】
表示媒体がシート状、すなわち、平面性を有していることで、本発明の接続部の構成は、携帯性性（コンパクト化）を考えた場合に非常に有利な構造ということができる。
【００２６】
また、本発明において、前記表示媒体は、電力を必要としないで、表示状態を維持することができるメモリー性を有する表示媒体であることを特徴とする。
【００２７】
表示媒体としては、メモリー性を持つものが好ましい。すなわち、接続部に対して取り外しても表示部の表示が維持されることで、電力の消費を減らし、かつ表示状態を維持することができる。
【００２８】
メモリー性のある平面表示媒体としては、強誘電性液晶、コレステリック液晶、電気泳動式表示媒体、トナーディスプレイ、粒子回転型表示媒体、酸化還元式表示媒体等が適用可能である。
【００２９】
さらに、本発明において、前記表示媒が着脱可能であることを特徴とする。
【００３０】
接続部に対して着脱可能することで、必要な表示媒体のみを取り外して使用することができ、利用範囲を拡大することができる。
【００３１】
なお、上記メモリー性のある表示媒体を含め、表示媒体にバッテリーを具備してもよく、メモリー性のある表示媒体にあっては暗いところでも可読性を良好に保つための補助光を点灯させるために利用できる。また、メモリー性のない表示媒体を用いる場合は、本体から取り外した状態でもその表示状態を長時間継続することができ、また、通常の表示媒体でも本体から離脱した状態で表示を維持することができる。さらに、バッテリーの容量によってはバックライトあるいはフロントライトを点灯するといった情報表示の補助的な電力としても利用できる。
【００３２】
また、本発明の情報表示装置において、互いに異なる位置とされた複数の接続部を１セットとして、セット単位で積み重ねることで、接続部の肉厚寸法の２倍の厚さになるが、これは言い換えれば、接続部の２倍の肉厚寸法で、１セットで束ねることができる平面表示媒体の枚数の２倍の平面表示媒体を束ねることができるため、セット数が多ければ多いほど、本発明の効果は顕著に現れることになる。
【００３３】
この場合、直接重なり合う平面表示媒体の接続部は、互いに異なる位置とされていることが好ましい。
【００３４】
【発明の実施の形態】
図１乃至図３には、本実施の形態に係る情報表示装置１０が示されている。
【００３５】
情報表示装置１０は、円筒形の本体１２を備えており、この本体１２の外周には、接線方向に一対のカバー１４、１６が取り付けられている。
【００３６】
カバー１４、１６は、本体１２との接続部分を中心として、互いに直線状（１８０°）に開口した開放状態（図１の状態）と、互いに重ね合わされるように接近して対向する閉止状態（図２の状態）と、の間で回動可能とされている。
【００３７】
すなわち、カバー１４、１６が閉止状態のときは、開放状態のときに比べ、占有面積が略１／２となる。
【００３８】
このカバー１４、１６の間には、複数枚（本実施の形態では２枚）のシート状の平面表示媒体１８が配設されており、これにより、本実施の形態の情報表示装置１０は、前記カバー１４、１６の一方が表表紙、他方が裏表紙としての役目を有する、ブック型（ノート型）の情報表示装置１０としての形態を持つことができる。
【００３９】
図４に示される如く、本体１２には、表示及び表示内容の編集を実行するＩＣ２０及びこのＩＣ２０を駆動するためのバッテリー２２が内蔵されている。
【００４０】
ＩＣ２０は、機能的に説明すると、データ管理部２４と、データ記憶制御部２６と、データ読出制御部２８とを備えている。
【００４１】
画像データ管理部２４には、本体１２の一方の端面に設けられた入出力インターフェース（Ｉ／Ｆ）３０が接続されている。Ｉ／Ｆ３０には、図示しないケーブルを介して外部制御装置（パソコン等）と接続可能となっている。
【００４２】
これにより、データ管理部２４には、Ｉ／Ｆ３０を介してデータが入力されるようになっている。データ管理部２４では、例えばデータに付与されている識別子等を参照して、データの種類（中間階調を含む画像データ、２値化された文字データや、制御データ等）を識別するようになっている。
【００４３】
識別されたデータは、データ記憶制御部２６においてメモリ３２に記憶されるようになっている。なお、制御データとは、メモリ３２に記憶した画像データや文字データを、前記平面表示媒体１８の何ページのどの領域に表示する等のレイアウト情報や、予めＩＣ２０に記憶された画像表示プログラムのバージョンアップ情報等を含む。
【００４４】
メモリ３２に記憶されたデータ（画像データ、文字データ）は、データ読出制御部２８において、予め設定されたレイアウトに基づいて読み出され、平面表示媒体１８毎に設けられた接続部３４（本実施の形態では、２個）を介して電気的かつ機械的に接続された複数の平面表示媒体１８へ送出されるようになっている。
【００４５】
平面表示媒体１８は、メモリー性のある表示媒体が適用されており、このメモリー性のある表示媒体としては、強誘電性液晶、コレステリック液晶、電気泳動式表示媒体、トナーディスプレイ、粒子回転型表示媒体、酸化還元式表示媒体が挙げられる。さらに、平面表示媒体１８は、表裏に表示機能層が形成されていることが望ましい。すなわち、両面で表示ができるように表示媒体を貼り合わせて構成する。
【００４６】
このようなメモリー性のある平面表示媒体１８にデータを送出することで、平面表示媒体１８では、受信したデータに基づき画像を表示し、かつこれを保持することができるようになっている。
【００４７】
また、図１に示される如く、裏表紙となるカバー１６の内面には、４個の操作キー３６Ａ、３６Ｂ、３６Ｃ、３６Ｄで構成された操作部３６が設けられている。操作部３６は、前記データ管理部２４に接続されており、図１の上から順に先頭ページ、１ページ戻り、１ページ進み、最終ページを指定することができるようになっている。
【００４８】
すなわち、平面表示媒体１８の１つのページには、１つのテーマに沿った複数ページ分の画像が準備されている場合があり、データ管理部２４では、データ読出制御部２８を制御して、現在見開かれている平面表示媒体１８に、前記操作部３６で指定された１つのテーマ内のページに対応する画像データを表示するように切り換えることができるようになっている。
【００４９】
図１及び図３に示される如く、接続部３４は、本体１２の周面から突出したフレキシブルケーブル３４Ａと、平面表示媒体１８をチャックするチャック部３４Ｂと、で構成されている。
【００５０】
チャック部３４Ｂは、スリット溝３４Ｃが設けられており、このスリット溝３４Ｃに前記平面表示媒体１８の電気接続部１８Ａ（図３参照）を差し込むことで、平面表示媒体１８は、電気的かつ機械的に接続部３４に接続されるようになっている。
【００５１】
また、このチャック部３４Ｂは、所定の圧力（板ばね等の付勢力）で平面表示媒体１８を挟持して保持するようになっているため、所定以上の力で引き抜くことが可能となっている。すなわち、平面表示媒体１８は、接続部３４に対して着脱可能な構造となっている。
【００５２】
ここで、フレキシブルケーブル３４Ａは可撓性を有しているため、平面表示媒体１８は、接続部３４に接続された状態で、ページをめくるように本体１２の回りを移動させることができる。
【００５３】
平面表示媒体１８には、それぞれ異なる位置又は数の識別部（この実施の形態では、矩形の開口部３８）が設けられており、表表紙となるカバー１４には、光電センサ４０が埋設されている。
【００５４】
図４に示される如く、この光電センサ４０は、ページ識別部４２に接続されており、このページ識別部４２において、現在見開かれている平面表示媒体１８、及びその表裏を特定し、データ管理２４へ送出するようになっている。見開かれているページや、本体１２に複数接続されている平面表示媒体１８に表示されている画像や、過去の書き込み履歴に基づいて、次の表示画像を選択したり、画像データの順序を入れ替えたり（既に表示されている画像と同じ情報が書き込まれようとした場合は、書き込み処理を行わないことで、電力消費を抑える）する。
【００５５】
また、片面にしか表示エリアを持たない平面表示媒体１８を用いる場合は、図１のように取り付け位置の上下によって、画像の表示方向（上下の向き）を入れ替えて表示を行うようにデータを管理する。
【００５６】
平面表示媒体１８は、比較的薄肉（肉厚寸法１ｍｍ〜５ｍｍ程度）である反面、チャック部３４Ｂは、比較的厚肉（肉厚寸法１０ｍｍ前後）となっている。このため、カバー１４、１６を閉止状態としたとき、平面表示媒体１８のみであれば、コンパクトに格納できるが、チャック部３４Ｂが重なり合うと、必要以上の隙間を持ってカバー１４、１６が閉止状態となる。
【００５７】
そこで、本実施の形態では、２個の接続部３４を、本体１２の周面において、軸線方向にオフセットされた状態で設けており、チャック部３４Ｂ同士が重なり合うことがないようになっている。
【００５８】
このため、一方のチャック部３４Ｂに他方の平面表示媒体１８が干渉する程度までは、前記隙間が軽減されることになる（図２参照）。
【００５９】
以下に本実施の形態の作用を説明する。
（データの入力、表示制御）
外部制御装置等から画像データ等を入力する場合には、この外部制御装置と、本体１２の一端面に設けられたＩ／Ｆ３０にとをケーブル接続し、画像データ等を送信する。
【００６０】
Ｉ／Ｆ３０を介して入力した画像データ等は、データ管理部２４でその種類を識別し、データ記憶制御部２６によってメモリ３２に記憶される。
【００６１】
ページ識別部４２では、光電センサ４０からの出力に基づいて、現在見開かれている平面表示媒体１８のページを識別し、データ管理部２４へ送出する。
【００６２】
これにより、データ管理部２４では、現在見開かれている平面表示媒体１８に対して、画像を表示するように、データ読出制御部２８を制御して、メモリ３２から画像データを読み出し、接続部３４を介して平面表示媒体１８へ送出する。
【００６３】
平面表示媒体１８では、入力した画像データに基づいて画像が表示される。メモリー性を有する表示媒体を用いる場合には、一旦送出した画像データに基づく表示状態が維持される。
【００６４】
次に、平面表示媒体１８をめくり、画像が表示されていないページを見開いたことを検出すると、上記と同様に次の画像データに基づいて、画像を表示するように制御する。
【００６５】
（画像の閲覧）
メモリー性を持たない平面表示媒体を用いる場合は、カバー１４、１６を開放状態とすると、平面表示媒体１８のめくり状態が、この平面表示媒体１８に設けられた矩形孔３８を光電センサ４０で検出することで認識され、現在めくられている平面表示媒体１８に該当する画像データを読み出し、表示する。すなわち、閲覧者が見えるページのみを表示するようにしているため、無駄な電力を必要とせず、省エネにつながる。
【００６６】
次に、平面表示媒体１８をめくり、次又は前のページとすると、これを光電センサ３８によって検出し、新たにめくられた表示面に画像を表示する。メモリー性のない平面表示媒体１８を本体１２から取り出して携帯、閲覧する場合には、平面表示媒体に内蔵されたバッテリーにより表示を保持する。
【００６７】
この場合、平面表示媒体１８内のバッテリーは、本体１２に接続中に、接続部３４から充電される。
【００６８】
なお、メモリー性のある平面表示媒体１８を用いる場合は、一旦表示した画像は、平面表示媒体１８自体が、メモリー性を持っているため、電力供給（画像データの送出）が完了した後でも、表示を継続することができる。このため、平面表示媒体１８にバッテリーを有する必要はない。
【００６９】
また、メモリー性のある平面表示媒体１８を用いることで、電力の消費や、表示画像の消失をきにすることなく、本体１２から取り外して携帯、閲覧することが可能である。
【００７０】
また、閲覧しようとする画像データは、接続される平面表示媒体１８の数よりも多数のページを有している場合がある。このような場合、操作部３６の操作キー３６Ａ、３６Ｂ、３６Ｃ、３６Ｄを操作することで、表示画像を次々と入れ替えることができる。
【００７１】
（平面表示媒体の格納）
カバー１４、１６を閉じた状態（閉止状態）では、平面表示媒体１８は、カバー１４、１６の間になり保護される。また、このためカバー１４、１６の閉止状態では、全体の占有面積が約１／２になりコンパクトになるため、本実施の形態の情報表示装置１０は、情報携帯端末としての機能を十分に発揮することができる。
【００７２】
ところで、占有面積がコンパクトであっても、平面表示媒体１８の枚数が増えると、その分肉厚寸法が大きくなる。平面表示媒体１８自体の肉厚寸法は比較的薄肉であるため問題ないが、この平面表示媒体１８を保持する本体１２との接続部３４（チャック部３４Ｂ）は、平面表示媒体を電気的、かつ機械的に接続する必要上、比較的厚肉となる。
【００７３】
この場合、従来では、チャック部３４Ｂ同士が重なり合って、肉厚寸法がかさみ、必要数の平面表示媒体１８をカバー１４、１６の間にコンパクトに綴じることができなかった。
【００７４】
しかし、本実施の形態では、それぞれの平面表示媒体１８を接続するための接続部３４をフレキシブルケーブル３４Ａとチャック部３４Ｂとで構成し、カバー１４、１６の閉止状態のときに、チャック部３４Ｂが重なり合わないように、本体１２の軸線方向にそれぞれオフセットさせて配置するようにした。
【００７５】
これにより、チャック部３４Ｂを、側面視で平面表示媒体１８同士が干渉しない程度まで同一領域内に重ねることができ（図２参照）、全体の肉厚寸法を軽減することができる。
【００７６】
より具体的に言えば、図２に示すように、２枚の平面表示媒体１８を持つ情報表示装置１０を閉止状態とした場合、従来はそれぞれのチャック部３４Ｂの肉厚寸法×２の厚みを必要としていたが、本実施の形態では、その一部が重複するため、チャック部３４Ｂの肉厚寸法×１．５程度に抑えることができる。この効果は、平面表示媒体１８の枚数が増えるほど顕著となる。
【００７７】
以上説明したように、本実施の形態では、平面表示媒体１８を着脱可能に保持し、かつ本体１２からの情報の伝達を行う接続部３４を本体１２の軸線方向にオフセットさせた状態で配設したため、カバー１４、１６を閉止状態としたときに、接続部３４のチャック部３４Ｂ同士が干渉することがなく、情報表示装置１０全体としての肉厚寸法を軽減することができる。これにより、情報携帯端末として占有面積と共に厚さにおいてもコンパクト化を実現することができる。
【００７８】
（変形例１）
なお、上記実施の形態では、２枚の平面表示媒体１８を本体１２に接続部３４を介して接続したが、図５に示される如く、本体１２の軸線方向に４個の接続部４５をそれぞれ軸線方向にオフセットさせ、かつ、本体１２の軸周り方向にも螺旋状にオフセットさせるようにしてもよい。この場合、閉止状態のときに、１枚の平面表示媒体１８につき、接続部３４のチャック部３４Ｂの肉厚寸法×０．５の寸法分ずつ全体の肉厚寸法が増えるのみであるため、結果として従来に比べて厚さを約１／２程度に抑えることができる。
【００７９】
（変形例２）
また、前記実施の形態では、本体１２から突出する接続部３４（フレキシブルケーブル３４Ａとチャック部３４Ｂ）を１個ずつとしたが、図６に示される如く、同一の箇所から（図６では、３箇所から）２個ずつ突出させるようにしてもよい。この場合、直接重なり合う平面表示媒体１８同士を異なる接続部３４に接続することが好ましい。
【００８０】
このような接続構造とすることで、図６の場合、合計６枚の平面表示媒体１８を綴じることができるが、その閉止状態での厚みは、チャック部３４Ｂの肉厚寸法×２程度の厚さとすることができる。すなわち、軸線方向にオフセットされていることで、３枚の平面表示媒体１８でチャック部３４Ｂの肉厚寸法×２の寸法が必要であり、同一箇所においてもチャック部３４Ｂの肉厚寸法×２の寸法が必要であるが、これらは独立して考えればよいため、どちらか大きいほうの肉厚寸法となる。
【００８１】
なお、上記実施の形態（並びに、変形例）において、平面表示媒体１８としてメモリー性を持つものとしたが、本体１２から電力を供給して、画像を表示するようにしてもよい。この場合、平面表示媒体１８にバックライトを具備し、バックライトあるいはフロントライトを点灯するようにしてもよい。
【００８２】
また、上記実施の形態（並びに、変形例）において、平面表示媒体１８を特定するための光電センサ４０は、特にこの形態に限定されるものではなく、平面表示媒体１８内部のメモリに持たせた情報（媒体のＩＤ情報）を読み取ることによって代用してもよく、非接触で情報を読み取るＩＣタグを用いることもできる。
【００８３】
また、画像の表示書き込みは、見開かれていないページに対して行ってもよく、画像表示に時間がかかる表示媒体（例えば単純マトリクス駆動を行う表示媒体）を用いる場合には、１ページ分の画像が完全に表示されるまでの待ち時間の煩わしさから利用者を解放できる。
【００８４】
また、カバー１４、１６を閉じたとき、内部の表示画像（この場合、メモリー性を持った平面表示媒体１８の場合は継続的に表示されている画像であり、メモリー性を持たない平面表示媒体１８の場合は本体１２側のメモリ３２に記憶されている画像データを指す。）がどのようなものかわからない。そこで、表表紙のカバー１４（裏表紙のカバー１６でもよい）に比較的小面積の表示部を設け、タイトルを表示するようにしてもよい。
【００８５】
さらに、本実施の形態では、接続部３４の位置に合わせて、平面表示媒体１８の電気接続部１８Ａを設けたが、接続部３４の全ての位置に対応して並列的に電気接続部１８Ａを設けることで、平面表示媒体１８を接続するべき接続部３４の選択が不要となり、ページの入れ替えも可能となる。
【００８６】
【発明の効果】
以上説明した如く本発明では、情報を一括管理する本体と、当該情報に基づいて画像を表示する平面表示媒体との接続構造を確立し、平面表示媒体が多数枚重なっても、接続部による厚みの増大を軽減することができるという優れた効果を有する。
【図面の簡単な説明】
【図１】本実施の形態に係る情報表示装置の開放状態の斜視図である。
【図２】本実施の形態に係る情報表示装置の閉止状態の側面図である。
【図３】図１の分解斜視図である。
【図４】本体に内蔵されたＩＣの機能を中心とした画像表示のための制御ブロック図である。
【図５】変形例１に係り、４枚の平面表示媒体をとじたときの開放状態の情報表示装置の斜視図である。
【図６】変形例２に係り、６枚の平面表示媒体をとじたときの開放状態の情報表示装置の斜視図である。
【符号の説明】
１０    情報表示装置
１２    本体
１４、１６    カバー
１８    平面表示媒体（表示媒体）
２０    ＩＣ
３４    接続部
３４Ａ    フレキシブルケーブル
３４Ｂ    チャック部
【図１】
2004258587.tif 000003
【図２】
2004258587.tif 000004
【図３】
2004258587.tif 000005
【図４】
2004258587.tif 000006
【図５】
2004258587.tif 000007
【図６】
2004258587.tif 000008